(57)【要約】  【課題】脚の数を極力減らしつつ、天板を横方向及び奥行き方向に連設して大型テーブルを構成できるようにする。  【解決手段】奥行き方向に２枚分の天板支持領域１０を有する主共通脚１を両端部に備え、その主共通脚１の天板支持領域１０は更に巾方向片側づつに２枚の天板４，４を同時に支持することも可能なものであって、それらの主共通脚１，１間においてその天板支持領域１０ａの片側の奥行き方向全体を使って天板４が支持されている対面使用可能な第１テーブル領域Ａに対して、この第１テーブル領域Ａの側方に、当該第１テーブル領域Ａの端部を構成する主共通脚１の天板支持領域１０のもう片側を使ってその奥行き方向片半部１０ａに天板４を支持させ残り片半部１０ａの側方を開放空間Ｓとして片側使用可能な第２テーブル領域Ｂを増設するようにした。  【選択図】図２
2008279212.tif 000002
【特許請求の範囲】
【請求項１】
奥行き方向に２枚分の天板支持領域を有する主共通脚を両端部に備え、その主共通脚の天板支持領域は更に巾方向に２枚の天板を同時に支持することも可能なものであって、それらの主共通脚間においてその天板支持領域の奥行き方向全体を使って天板が支持されている対面使用可能な第１テーブル領域に対して、この第１テーブル領域の側方に、当該第１テーブル領域の端部を構成する主共通脚の天板支持領域を使ってその奥行き方向片半部に天板を支持させ残り片半部の側方を開放空間として片側使用可能な第２テーブル領域を増設したことを特徴とするテーブルシステム。
【請求項２】
第１テーブル領域とは反対側に位置する第２テーブル領域の端部にも主共通脚を設け、この主共通脚の天板支持領域の奥行き方向全体を使って、更にその側方に天板を支持させて対面使用可能な他の第１テーブル領域を増設している請求項１記載のテーブルシステム。
【請求項３】
奥行き方向に２枚分の天板支持領域を有する主共通脚を両端部に備え、その主共通脚の天板支持領域は更に巾方向に２枚の天板を同時に支持することも可能なものであって、それらの主共通脚間においてその天板支持領域の奥行き方向全体を使って天板が支持されている対面使用可能な第１テーブル領域が幅方向に３箇所以上連設され、その際に第１テーブル領域の隣接境界部においては各々１つの主共通脚に両側の天板を支持しており、その状態から真ん中の第１テーブル領域の奥行き方向片半部を構成する天板その他の構成要素を撤去することにより、当該第１テーブル領域を第２テーブル領域に変更可能としていることを特徴とするテーブルシステム。
【請求項４】
奥行き方向に２枚分の天板支持領域を有する主共通脚を両端部に備え、その主共通脚の天板支持領域は更に巾方向に２枚の天板を同時に支持することも可能なものであって、それらの主共通脚間においてその天板支持領域の奥行き方向全体を使って天板が支持されている対面使用可能な第１テーブル領域を一対に有し、その間に、第１テーブル領域の端部を構成する主共通脚の天板支持領域を使ってその奥行き方向片半部に天板を支持させ残り片半部の側方を開放空間として片側使用可能な第２テーブル領域を設けており、その状態から真ん中の第２テーブル領域を構成する天板その他の構成要素を撤去することにより、両側に存する第１テーブル領域がそれぞれ両端部に主共通脚を有する各々対面使用可能な独立したテーブルとなる構造を有することを特徴とするテーブルシステム。
【請求項５】
主共通脚が、一対の脚支柱の上端部間を架材によって接続した門形をなすものであり、天板支持領域の奥行き方向片半部の領域につき２本以上のビームを使って脚の架材間を着脱可能に連結することにより、第２テーブル領域においては主共通脚の奥行き方向片半部間にビームが接続され、第１テーブル領域においては主共通脚の奥行き方向全域間にビームが接続され、更に隣接する天板を同時に支持する際にはそれらのビームが主共通脚の巾方向両側に接続された状態となる請求項１〜４記載のテーブルシステム。
【請求項６】
主共通脚の中心部の上方に天板の巾方向縁部が位置し、天板を隣接させた場合に各々の天板の巾方向縁部が主共通脚の中心部の上方で突き合うようにしている請求項１〜５記載のテーブルシステム。
【請求項７】
第１テーブル領域において、一対の天板の反使用縁間に所定隙間を形成するとともに、第２テーブル領域における天板の反使用縁側に、当該反使用縁との間に平面視において前記第１テーブル領域の所定隙間の延長線上に位置する隙間を形成するように幕板を着脱可能に取り付けている請求項１〜６記載のテーブルシステム。
【請求項８】
第１テーブル領域を構成する天板の反使用縁間の隙間の下方に配線ダクトを形成するとともに、第２テーブル領域を構成する天板の反使用縁と幕板との隙間の下方にも、当該幕板を利用して配線ダクトを形成している請求項７記載のテーブルシステム。
【請求項９】
第２テーブル領域の天板の反使用縁と前記開放空間との間、及び、第１テーブル領域の側縁と第２テーブル領域の開放空間との間をそれぞれ遮蔽する位置に、テーブルトップパネルを着脱可能に取り付け得るようにしている請求項１〜８記載のテーブルシステム。
【請求項１０】
天板同士が奥行き方向に変位して隣接するものにおいて、その隣接境界部分に奥行き方向に２枚分の天板を支持可能な天板支持領域を有する主共通脚を配置して、その片半部には一側方に隣接する天板を支持するとともに他側方に開放空間を形成し、残り片半部においては他側方に隣接する天板を支持するとともに一側方に開放空間を形成してなることを特徴とするテーブルシステム。
【発明の詳細な説明】
【技術分野】
【０００１】
本発明は、両面タイプ大型テーブルでのレイアウト変更で発生する制限を解消できるようにしたテーブルシステムに関するものである。
【背景技術】
【０００２】
オフィスに設置されるテーブルに関し、必要に応じて複数の天板を突き合わせることにより適宜の島を形成することは従来より種々に行われている。このような場合に、独立したテーブル同士を横方向に連設すると、隣接境界部分において脚が二重になり下肢空間が妨げられたり、独立のテーブルに対して縦横に連結されるテーブルに連結のための仕様変更を施すとパーツや部品の仕様が増えてコスト増を招く。
【０００３】
そこで、このような不都合を解消し得るものとして、特許文献１、２等に示すものが提案されている。
【０００４】
特許文献１に示すものは、前後の中間脚、前後のエンド脚をそれぞれ背合わせに連結するとともに、連結枠を介してこれら中間脚とエンド脚との間を接続し、その際に中間脚の上面に２枚の天板を共通に支持させるようにしている。
【０００５】
また、特許文献２に示すものは、強度メンバとして使用するバックフレームに脚や袖を接続し、これら脚間、袖間あるいは脚と袖との間を天板で接続するようにしたもので、バックフレームの寸法内で脚や袖を位置変更可能にして、種々の幅寸法の天板を取り付け可能としている。
【特許文献１】実公平６−２８０２３号公報
【特許文献２】特開２００４−３３７４５２号公報
【発明の開示】
【発明が解決しようとする課題】
【０００６】
ところで、レイアウトの一つとして、天板同士を突き合わせて対面使用可能にした領域と、１枚の天板のみを使用する片側使用可能な領域とを混在させれば、そこに生じる切欠状の空間を共用スペースやコピーコーナーなどとして利用できる新たな展開が期待できる。
【０００７】
これに類するものとして、上記特許文献１の第１図には、一部に切欠状の開放空間を形成して置台を設置したレイアウトが示されており、また、上記特許文献２の第２６図には、一部に切欠状の開放空間を設けて本棚を設置したレイアウトが示されている。
【０００８】
しかしながら、これらは何れのものも、脚がシングルタイプの天板に対応したコ字形あるいは逆Ｌ字形をなし、このような脚を直接又はバックフレームを介して背合わせに連結するもので、独立したテーブルを背合わせに突き合わせて配置するという従来構造のテーブルの延長線上にあるものに過ぎず、天板（あるいはテーブル）を取り去った場所に片面使用可能な領域（切欠状の空間）が形成されるのは当然である。すなわち、これらは何れのものも、天板の奥行き寸法と脚の奥行き寸法がほぼ対応する基本構造の下に成り立っており、大型テーブルを構成する際に横方向の脚の数は抑え得たとしても、奥行き方向の脚の数がほぼ倍増し作業も煩雑になることが避けがたいものである。
【０００９】
加えて、特許文献１のものはエンド脚が中間脚とは異なる構造をなしているため、新たに使用領域を追加するためには一旦テーブルを解体して中間脚等を挿入しなければならず、特許文献２では延長用のバックフレームを既設バックフレームに連結し、新たにエンド脚を追加するとともにそれまでエンド脚であったものを２枚の天板を支持し得るように幅広なものに取り替えるか或いは左右の天板を同時に支持する位置にずらさなくてはならないものであり、何れにせよ既設テーブルをそのままにして増設できるものではない。
【００１０】
さらに、このような大型テーブルは増設の場合のみならず複数の独立したテーブルに分離したい場合等もあるが、上記特許文献１では仕様の異なる中間脚があるため独立テーブルにし得たところで左右の脚のアンバランスな形態によって外観を損なうものになり、特許文献２では脚や袖が任意に位置変更可能とされているため、明確な位置でバックフレーム、天板及び脚が分断できる状態にあることは期待できない。
【００１１】
本発明は、このような課題をことごとく解決し得る、全く新たなコンセプトに基づくテーブルシステムを提供することを目的としている。
【課題を解決するための手段】
【００１２】
本発明は、かかる目的を達成するために、次のような手段を講じたものである。
【００１３】
すなわち、本発明のテーブルシステムは、奥行き方向に２枚分の天板支持領域を有する主共通脚を両端部に備え、その主共通脚の天板支持領域は更に巾方向に２枚の天板を同時に支持することも可能なものであって、それらの主共通脚間においてその天板支持領域の奥行き方向全体を使って天板が支持されている対面使用可能な第１テーブル領域に対して、この第１テーブル領域の側方に、当該第１テーブル領域の端部を構成する主共通脚の天板支持領域を使ってその奥行き方向片半部に天板を支持させ残り片半部の側方を開放空間として片側使用可能な第２テーブル領域を増設したことを特徴とする。
【００１４】
このように構成すると、第１テーブル領域を構成するにあたりその両端部に共通の単位脚を用いることができ、しかも単位脚で対面配置される天板全体を支持するため、背合わせに２つの脚を直接又は間接に接続するといった煩雑で部品点数増加の要因となる事態も有効に解消することができる。さらに、第１テーブル領域の何れの端部に対しても、解体することなく外付けによって片側使用可能な第２テーブル領域を簡単に増設することができるので、バリエーションに富んだレイアウトも容易に実現可能となる。
【００１５】
また、第１テーブル領域とは反対側に位置する第２テーブル領域の端部にも主共通脚を設け、この主共通脚の天板支持領域全体の奥行き方向全体を使って、更にその側方に天板を支持させて対面使用可能な他の第１テーブル領域を増設することが有効である。
【００１６】
このように、第２テーブル領域の端部にも主共通脚を設ければ、同じ単位脚を使い、かつ同じ取付構造によって、更にその側方に他の第１テーブル領域を簡単に増設することができるようになる。
【００１７】
既設の大型テーブルの変形を容易にするためには、奥行き方向に２枚分の天板支持領域を有する主共通脚を両端部に備え、その主共通脚の天板支持領域は更に巾方向に２枚の天板を同時に支持することも可能なものであって、それらの主共通脚間においてその天板支持領域の奥行き方向全体を使って天板が支持されている対面使用可能な第１テーブル領域が幅方向に３箇所以上連設され、その際に第１テーブル領域の隣接境界部においては各々１つの主共通脚に両側の天板を支持しており、その状態から真ん中の第１テーブル領域の奥行き方向片半部を構成する天板その他の構成要素を撤去することにより、当該第１テーブル領域を第２テーブル領域に変更可能としていることが有効である。
【００１８】
或いは、奥行き方向に２枚分の天板支持領域を有する主共通脚を両端部に備え、その主共通脚の天板支持領域は更に巾方向に２枚の天板を同時に支持することも可能なものであって、それらの主共通脚間においてその天板支持領域の奥行き方向全体を使って天板が支持されている対面使用可能な第１テーブル領域を一対に有し、その間に、第１テーブル領域の端部を構成する主共通脚の天板支持領域を使ってその奥行き方向片半部に天板を支持させ残り片半部の側方を開放空間として片側使用可能な第２テーブル領域を設けており、その状態から真ん中の第２テーブル領域を構成する天板その他の構成要素を撤去することにより、両側に存する第１テーブル領域がそれぞれ両端部に主共通脚を有する各々対面使用可能な独立したテーブルとなる構造を有することも有用である。
【００１９】
以上を具体的に実現するためには、主共通脚が、一対の脚支柱の上端部間を架材によって接続した門形をなすものであり、天板支持領域の奥行き方向片半部の領域につき２本以上のビームを使って脚の架材間を着脱可能に連結することにより、第２テーブル領域においては主共通脚の奥行き方向片半部間にビームが接続され、第１テーブル領域においては主共通脚の奥行き方向全域間にビームが接続され、更に隣接する天板を同時に支持する際にはそれらのビームが主共通脚の巾方向両側に接続された状態となることが望ましい。
【００２０】
後付けによってテーブル領域を簡単に増設するという本発明の機能を有効に担保するためには、主共通脚の中心部の上方に天板の巾方向縁部が位置し、天板を隣接させた場合に各々の天板の巾方向縁部が主共通脚の中心部の上方で突き合うようにしていることが好都合である。
【００２１】
大型テーブルの外観の統一性、連続性を有効に保ちつつ、第２テーブル領域の下肢空間を適切に隠蔽するためには、第１テーブル領域において、一対の天板の反使用縁間に所定隙間を形成するとともに、第２テーブル領域における天板の反使用縁側に、当該反使用縁との間に平面視において前記第１テーブル領域の所定隙間の延長線上に位置する隙間を形成するように幕板を着脱可能に取り付けていることが好ましい。
【００２２】
この場合、横配線機能を有効に確保するためには、第１テーブル領域を構成する天板の反使用縁間の隙間の下方に配線ダクトを形成するとともに、第２テーブル領域を構成する天板の反使用縁と幕板との隙間の下方にも、当該幕板を利用して配線ダクトを形成していることが望ましい。
【００２３】
開放空間の利用が執務の妨げ等となることを有効に防止するためには、第２テーブル領域の天板の反使用縁と前記開放空間との間、及び、第１テーブル領域の側縁と第２テーブル領域の開放空間との間をそれぞれ遮蔽する位置に、テーブルトップパネルを着脱可能に取り付け得るようにしていることが好適である。
【００２４】
上記に準じて構成できてレイアウトの多様化に容易に資するテーブルシステムとしては、天板同士が奥行き方向に変位して隣接するものにおいて、その隣接境界部分に奥行き方向に２枚分の天板を支持可能な天板支持領域を有する主共通脚を配置して、その片半部には一側方に隣接する天板を支持するとともに他側方に開放空間を形成し、残り片半部においては他側方に隣接する天板を支持するとともに一側方に開放空間を形成してなるものが挙げられる。
【発明の効果】
【００２５】
本発明は、以上説明した構成であるから、対面使用可能なテーブル領域と片面使用可能なテーブル領域とを有する大型テーブルを構成、増設する際に、脚の数が横方向や奥行き方向にも倍増することや既設のテーブルを解体し或いは手を加える煩雑さを有効に回避することができ、これによりバリエーションに富んだレイアウトを容易に実現できるようにした優れたテーブルシステムを提供することが可能となる。
【発明を実施するための最良の形態】
【００２６】
以下、本発明の一実施形態を、図面を参照して説明する。
【００２７】
この実施形態のテーブルシステムは、図１に示すように、対面使用可能な第１テーブル領域Ａの側方に片側使用可能な第２テーブル領域Ｂを増設して大型テーブルＴを構成し、この第２テーブル領域Ｂに形成される切欠状の開放空間Ｓを、共用スペースやコピーコーナー等として利用できるようにしたものである。
【００２８】
具体的に説明すると、第１テーブル領域Ａは、図１及び図２に示すように、奥行き方向に２枚分の天板支持領域１０を有する主共通脚１を両端部に備え、それらの主共通脚１の片半部１０ａづつに天板４を支持させている。
【００２９】
主共通脚１は、一対の脚支柱１１、１１の上端部間を架材１２によって接続した門形をなすもので、その奥行き方向に沿った天板支持領域１０は、所定規格の天板４を２枚載せ置ける寸法に設定されている。そして、各々片半部１０ａにそれぞれ２本のビーム３を取り付けるべく、架材１２の側面にビーム取付孔１０ｂが開口している。このビーム取付孔１０ｂはビーム３を取り付けない状態では図１に示すようにカバー１２ｘ等により適宜隠蔽される。一方、ビーム３は、両端部に断面逆Ｌ字形をなすブラケット３１を備えたもので、このブラケット３１の上片３１ａを主共通脚１の架材１２の上面の一部に係り合わせ、ブラケット３１から挿し込んだビスを架材１２のビーム取付孔１０ｂに締着することによって、ビーム３を主共通脚１，１間に着脱可能に取り付け得るようにしている。その際、図３（ａ）に示すように、ビーム３の上面３ａは架材１２の上面よりも高位置にあるように設定してあり、そのビーム３上に天板４を載せ置き、ビーム３の適宜位置に設けた図示しない縦孔に下方からビスを挿入して天板下面に止着することによって、天板４をビーム３を介して主共通脚１，１間に支持させるようにしている。したがって、主共通脚１と天板４との間には若干の隙間ｄが形成されるものとなっている。ビームのブラケット３１の上片３１ａには、同図（ｂ）に示すように架設状態を安定させるために下面にゴムクッション３１ｂが設けられている。
【００３０】
また、取付状態で天板４の側縁４ｓは、主共通脚１の中心部の上方に位置する状態、すなわち幅方向の片半部にのみさしかかるようにオーバーハングされた状態にあり、他の天板４を増連しようとする場合、この主共通脚１の残り片半部１０ａの上方に他の天板４を、その側縁４ｓ同士が突き合うように位置づけて当該主共通脚１に間接的に支持させることにより、主共通脚１を巾方向にだぶらせることなく、また主共通脚１の位置変更も行うことなく、天板４の増連を行い得るようにしている。
【００３１】
この第１テーブル領域Ａを構成する一対の天板４の反使用縁４ｂ、４ｂ間には、図１に示すように配線の落し込み等を可能にする隙間δが設けてある。
【００３２】
一方、図１及び図２に示す第２テーブル領域Ｂは、第１テーブル領域Ａの反対側の縁部において天板４を支持する位置に、前記主共通脚１に準じて一対の脚支柱５１の上端部間を架材５２によって接続した門形をなす補助脚５を設けている。この補助脚５の奥行き方向に沿った天板支持領域５０は、所定規格の天板４を１枚だけ載せ置ける寸法に設定されており、その天板支持領域５０に２本のビーム３を取り付けるべく、架材５２の側面にビーム取付孔５０ｂが開口している。ここで用いるビーム３は第１テーブル領域Ａで用いるビーム３と同じものであり、ビーム３を取り付けない状態では主共通脚１と同様、ビーム取付孔５０ｂは図１に示すようにカバー５２ｘ等により隠蔽される。
【００３３】
そして、この補助脚５を前記主共通脚１の天板支持領域１０の片半部１０ａに対応する部位に位置づけ、その間を２本のビーム３によって連結するとともに、ビーム３上に第１テーブル領域Ａにおけると同一寸法の天板４を載せ置き同様に図示しないビスをビーム３に挿通して天板下面に締着することによって、天板４をビーム３を介して主共通脚１と補助脚５の間に支持させ得るようにしている。すなわち、この実施形態のものは、主共通脚１にビーム３を介して補助脚５を接続し、ビーム３に天板４を取り付けることによって、第１テーブル領域Ａを解体することなく、或いはその主共通脚１を取替えたり位置変更したりすることなく、当該主共通脚１の奥行き方向片半部１０ａを利用して天板４の一端側を支持させ残り片半部１０ａの側方を開放空間Ｓとして片側使用可能な第２テーブル領域Ｂを側方から突き合わせるようにして増設することができるものである。
【００３４】
このように、本実施形態の構造は第１テーブル領域Ａに第２テーブル領域Ｂを後付により連設できることから、図１及び図４（ａ）に示すように第１テーブル領域Ａの側方に第２テーブル領域Ｂを増設して平面視Ｌ字状に切り欠いた開放空間Ｓを有効に形成することができる。同図（ｂ）は反対側にも第２テーブル領域Ｂを増設して平面視Ｌ字形に切り欠いた開放空間Ｓを同時に形成したものである。
【００３５】
また、第１テーブル領域Ａに対し、側方に平面視コ字状に切り欠いた開放空間Ｓ´を形成したい場合には、図１及び図２において補助脚５を用いる替わりに主共通脚１を用いて各々の天板支持領域１０のうち一方の片半部１０ａ、１０ａ間を２本のビーム３によって接続し、これにより片側使用可能な第２テーブル領域Ｂを形成するとともに、更にこの第２テーブル領域Ｂの外側の主共通脚１を利用してその側方に主共通脚１及び４本のビーム３を用いて第１テーブル領域Ａを構成するようにすれば、図４（ｃ）に示すように平面視コ字形に切り欠いた開放空間Ｓ´を有効に形成することができる。同図（ｄ）は反対側にも第２テーブル領域Ｂを増設して平面視Ｌ字形に切り欠いた開放空間Ｓを同時に形成したものである。
【００３６】
なお、本明細書に言う第１テーブル領域には、両端部が主共通脚１に支持されている限りにおいて、図５及び図６に示すように一対の主共通脚１の間に中間脚２を有して天板面が幅方向に拡張された大型第１テーブル領域Ａ´も含まれる。その中間脚２は、前記主共通脚１の架材１２と同様に片半部２０ａに２本づつのビーム３を取り付け得る天板支持領域２０を備えた架材２２を有し、その天板支持領域２０の片半部２０ａづつにおいて左右に対向する主共通脚１との間に各々２本のビーム３を取り付けることができるようにしたものである。
【００３７】
つまり、このような大型第１テーブル領域Ａ´であっても、前記と同様にして図７（ａ）に示すように側方に第２テーブル領域Ｂを増設して平面視Ｌ字状に切り欠いた開放空間Ｓを形成したり、或いは図７（ｂ）に示すように側方に第２テーブル領域Ｂ、第１テーブル領域Ａを順次増設して平面視コ字状に切り欠いた開放空間Ｓ´を形成することができる。
【００３８】
このことは第２テーブル領域Ｂについても同様で、主共通脚１の奥行き方向片半部１０ａに天板４の一端側を支持させ残り片半部１０ａの側方を開放空間Ｓとして片側使用可能としている限りにおいては、図８（ａ）に示すように、隣接する天板４，４間を前記中間脚２の半巾の支持領域を有する半巾中間脚２´で支持して天板面を幅方向に拡張した大型第２テーブル領域Ｂ´とする態様も含まれる。この大型第２テーブル領域Ｂ´の半巾中間脚２´には、図６に示した中間脚２と同様の構造で支持巾の狭いものを用いてもよいし、或いは図２に示した補助脚５をそのまま用いてもよいし、要はこれらと同様の架材を有し、その架材の左右の側面に各々２本のビーム３が取り付け可能であれば形態は特に限定されない。
【００３９】
つまり、このような大型第２テーブル領域Ｂ´であっても、前記と同様にして図８（ａ）や図８（ｂ）に示すように第１テーブル領域Ａや大型第１テーブル領域Ａ´の側方に増設して平面視Ｌ字状に切り欠いた開放空間Ｓを形成することができるほか、図８（ｃ）や図８（ｄ）に示すように第１テーブル領域Ａや大型第１テーブル領域Ａ´に大型第２テーブル領域Ｂ´を介して更に第１テーブル領域Ａや大型第１テーブル領域Ａ´を連設することにより平面視コ字形に切り欠いた開放空間Ｓ´を形成する態様なども可能になる。勿論、図９（ａ）に示すように、第１テーブル領域Ａの一方に第２テーブル領域Ｂを増設し他方に大型第２テーブル領域Ｂ´を増設したり、図９（ｂ）に示すように更にその大型第２テーブル領域Ｂ´に第１テーブル領域Ａや第２テーブル領域Ｂを増設する態様なども採ることができる。
【００４０】
すなわち、本実施形態によれば、第１テーブル領域Ａや大型第１テーブル領域Ａ´の側方に第２テーブル領域Ｂや大型第２テーブル領域Ｂ´を様々な態様で増設し、更にはその第２テーブル領域Ｂや大型第２テーブル領域Ｂ´にも第１テーブル領域Ａや大型第１テーブル領域Ａ´を増設することができるため、種々の形態の大型テーブルを随意に構成するとともに、これにより第２テーブル領域Ｂや大型第２テーブル領域Ｂ´に形成される平面視Ｌ字形に切り欠いた開放空間Ｓや平面視コ字形に切り欠いた開放空間Ｓ´を、共用スペースやコピーコーナーとして等として有効利用し、或いは部署と部署を区画する区画手段として有効に活用することが可能となる。
【００４１】
ただ、このような第２テーブル領域Ｂ、Ｂ´等を形成すると、片側使用であるがゆえに開放空間Ｓ、Ｓ´側から天板下の下肢空間が見え易くなり、横配線も途切れ易くなり、コピー等を設置すると頻繁に人が出入りすることで執務の妨げになり易くなる。
【００４２】
そこでこの実施形態では、例えば図１に示すように、第２テーブル領域Ｂの反使用縁側の下方に幕板６を着脱可能に取り付け得るようにしている。この幕板６は、主共通脚１や補助脚５に図示しないブラケットを介して簡単に取り付けることができ、図４（ｃ）の形態では左右の主共通脚１に簡単に取り付けることができるが、例えばビーム等を利用してこの幕板６を取り付けるようにすれば、脚の形態にとらわれない取り付けが可能になる。そして、この幕板６は、図１や図４（ａ）に示すように反使用縁４ｂとの間に形成される隙間δ´が平面視において前記第１テーブル領域の所定隙間δの延長線上に位置するように、その持ち出し量を規定している。両隙間δ、δ´をほぼ同一寸法とすることも好ましい態様の一つである。
【００４３】
また、前記所定隙間δが配線の落し込み等を可能にするものであることは既述したが、その隙間δの下方には図１０に示すように横配線を可能にする配線ダクト７が形成されている。そこで、この実施形態では図１に示す幕板６の内面にも配線ダクト７´を形成するようにしており、隙間δ、δ´は連続していることから、このような開放空間Ｓ等を設けても、第１テーブル領域Ａから第２テーブル領域Ｂに亘る横配線機能を有効に確保するものとなっている。
【００４４】
さらに、図１１（ａ）、（ｂ）に示すように、第２テーブル領域Ｂにおける天板４の反使用縁４ｂと前記開放空間Ｓ、Ｓ´との間や、第１テーブル領域Ａの側縁と第２テーブル領域Ｂの開放空間Ｓ、Ｓ´との間をそれぞれ遮蔽する位置に、適宜の構造によってテーブルトップパネル８ａ、８ｂを着脱可能に取り付け、これにより開放空間Ｓ、Ｓ´を必要に応じて執務スペースから独立させ得るようにしている。
【００４５】
なお、図２に符号９で示すものは、天板４の使用縁４ａに上載荷重が作用した際に前垂れを防止するステーであって、第１テーブル領域Ａにおいては左右の主共通脚１の内側に設けられている。この第１テーブル領域Ａに第２テーブル領域Ｂを増連する際には、図１２に示すように当該ステー９に連結板９０を差し込み、これを主共通脚１の上面と天板４の下面との隙間ｄを通過させて、第２テーブル領域Ｂ側に引き出した延出部９０ａを当該第２テーブル領域Ｂを構成する天板４の下面に止着して使用縁の前垂れを防止するようにしている。図６に示した中間脚２などは、常に一対の天板４を支持することから、かかるステー９を両側に備えている。
【００４６】
以上説明したように、この実施形態のテーブルシステムは、図１、図２等に示したように、奥行き方向に片半部１０ａと残り片半部１０ａで計２枚分の天板支持領域１０を有する主共通脚１を両端部に備え、その主共通脚１の天板支持領域１０は更に巾方向片側づつに２枚の天板４，４を同時に支持することも可能なものであって、それらの主共通脚１，１間においてその天板支持領域１０ａの片側の奥行き方向全体を使って天板４が支持されている対面使用可能な第１テーブル領域Ａに対して、この第１テーブル領域Ａの側方に、当該第１テーブル領域Ａの端部を構成する主共通脚１の天板支持領域１０のもう片側を使ってその奥行き方向片半部１０ａに天板４を支持させ残り片半部１０ａの側方を開放空間Ｓとして片側使用可能な第２テーブル領域Ｂを増設するようにしたものである。
【００４７】
このように構成すると、第１テーブル領域Ａを構成するにあたりその両端部に共通の単位脚１を用いることができ、しかも単位脚で対面配置される天板４、４全体を支持するため、背合わせに２つの脚を直接又は間接に接続するといった煩雑で部品点数増加の要因となる事態も有効に解消することができる。さらに、第１テーブル領域Ａの何れの端部に対しても、解体することなく外付けによって片側使用可能な第２テーブル領域Ｂを簡単に増設することができるので、図４（ａ）、（ｂ）等に示したようなバリエーションに富んだレイアウトも容易に実現可能となる。
【００４８】
また、図４（ｃ）等に示したように、第１テーブル領域Ａとは反対側に位置する第２テーブル領域Ｂの端部にも主共通脚１を設け、この主共通脚１の天板支持領域１０のもう片側の奥行き方向全体を使って、更にその側方に天板４を支持させて対面使用可能な他の第１テーブル領域Ａを増設できるようにしており、第２テーブル領域Ｂの端部にも主共通脚１を用いることによって、同じ単位脚を使い、かつ同じ取付構造によって、更にその側方に他の第１テーブル領域Ａを簡単に増設することができる。
【００４９】
そして、これらを組み合わせることによって、図４並びに図７〜図９に示したような多種多様なレイアウトに容易に展開することができる。
【００５０】
一方、以上のような構造であると、事後的な第２テーブル領域Ｂの構成やその撤去も容易なものとなる。例えば、図１３（ａ）に示すように奥行き方向に２枚分の天板支持領域１０を有する主共通脚１を両端部に備え、その主共通脚１の天板支持領域１０は更に巾方向片側づつに２枚の天板４，４を同時に支持することも可能なものであって、それらの主共通脚１，１間においてその天板支持領域１０の片側の奥行き方向全体を使って天板４が支持されている対面使用可能な第１テーブル領域Ａが幅方向に３箇所以上連設され、第１テーブル領域Ａ、Ａの隣接境界部においては各々１つの主共通脚１の巾方向片側づつに両側の天板４を支持している状態から、同図（ａ）→（ｂ）に示すように真ん中の第１テーブル領域Ａの奥行き方向片半部を構成する天板４及びその他の構成要素（ビーム３）を撤去することにより、当該第１テーブル領域Ａを第２テーブル領域Ｂに変更して平面視コ字形の開放空間Ｓ´を容易に形成することができる。
【００５１】
或いは、同図（ｂ）のように奥行き方向に２枚分の天板支持領域１０を有する主共通脚１を両端部に備え、その主共通脚１の天板支持領域１０は更に巾方向片側づつに２枚の天板４，４を同時に支持することも可能なものであって、それらの主共通脚１，１間においてその天板支持領域１０の片側の奥行き方向全体を使って天板が支持されている対面使用可能な第１テーブル領域Ａを一対に有し、その間に、第１テーブル領域Ａの端部を構成する主共通脚１の天板支持領域１０のもう片側を使ってその奥行き方向片半部１０ａに天板４を支持させ残り片半部１０ａの側方を開放空間Ｓ´として片側使用可能な第２テーブル領域Ｂを設けている状態から、同図（ｂ）→（ｃ）に示すように真ん中の第２テーブル領域Ｂを構成する天板４及びその他の構成要素（ビーム３）を撤去することにより、両側に存する第１テーブル領域Ａをそれぞれ両端部に主共通脚１を有する各々対面使用可能な独立したテーブルＴに容易に分解することも可能になる。
【００５２】
そして、具体的な基本構造としては、図２等に示したように主共通脚１が、一対の脚支柱１１、１１の上端部間を架材１２によって接続した門形をなすものであり、天板支持領域１０の奥行き方向片半部の領域１０ａにつき２本のビーム３を使って主共通脚１の架材１２、１２間を着脱可能に連結することにより、第２テーブル領域Ｂにおいては主共通脚１１の奥行き方向片半部１０ａ間に２本のビーム３が接続され、第１テーブル領域Ａにおいては主共通脚１の奥行き方向全域間に計４本のビーム３が接続され、更に巾方向片側づつに隣接する天板４，４を同時に支持する際にはそれらのビーム３が主共通脚１の巾方向両側に接続された状態となるものである。
【００５３】
このように、脚１及び天板４は最低限２本のビーム３を含めて安定な構造体を構成し得るものである。そして、対面使用可能な天板４の反使用縁４ｂ側の下方にバックフレームや連結部材のような仕切りが存在しないため、片側使用可能な第２テーブル領域Ｂを形成する機能を備えつつも、門形脚により足元をすっきり見せて下肢空間も広くとることができる。また、基本的にビーム３、主共通脚１及び天板４の追加によってテーブル領域Ｂ、Ａを適宜増設でき、天板４及びビーム３の撤去によって中抜きも含めてテーブル領域Ｂ、Ａの減少も適宜行うことができるので、バリエーションに富んだレイアウト変更を同様の作業を通じて簡単に行うことが可能となる。
【００５４】
そして、主共通脚１の中心部の上方に天板４の巾方向縁部が位置し、天板４，４を隣接させた場合に各々の天板４，４の巾方向縁部４ｓが主共通脚１の中心部の上方で突き合うようにしているので、既設のテーブルに基本的に手を加えることなく後付けによってテーブル領域を増設するという本発明の機能を有効に担保することができる。
【００５５】
さらに、図１等に示したように、第１テーブル領域Ａにおいて一対の天板４，４の反使用縁４ｂ、４ｂ間に所定隙間δを形成するとともに、第２テーブル領域Ｂにおける天板４の反使用縁４ｂ側に、当該反使用縁４ｂとの間に平面視において前記第１テーブル領域Ａの所定隙間δの延長線上に位置する隙間δ´を形成するように幕板６を着脱可能に取り付けているので、大型テーブルＴの外観の統一性、連続性を有効に保ちつつ、第２テーブル領域Ｂの下肢空間が開放空間Ｓ側に露出することを有効に防止することができる。
【００５６】
また、図１０に示したように第１テーブル領域Ａを構成する天板４，４の反使用縁４ｂ、４ｂ間の隙間δの下方に配線ダクト７を形成するとともに、図１に示したように第２テーブル領域Ｂを構成する天板４の反使用縁４ｂと幕板６との隙間の下方にも当該幕板６を利用して配線ダクト７´を形成しているので、テーブル領域を増設しても横配線機能を有効に確保することができる。
【００５７】
さらにまた、図１１に示したように、第２テーブル領域Ｂの天板４の反使用縁４ｂと前記開放空間Ｓ、Ｓ´との間、或いは、第１テーブル領域Ａの側縁４ｓと第２テーブル領域Ｂの開放空間Ｓ、Ｓ´との間をそれぞれ遮蔽する位置に、テーブルトップパネル８ａ、８ｂを着脱可能に取り付け得るようにしており、第２テーブル領域Ｂの開放空間Ｓ、Ｓ´を当該第２テーブル領域Ｂを構成する天板４や第１テーブル領域Ａを構成する天板４から遮蔽することができるので、この空間を独立させて、執務の妨げになる不都合等を回避しつつ、共用スペースやコピーコーナー等として有効活用することが可能となる。
【００５８】
以上に述べたテーブルシステムは、より大局的に見れば、以下の構成からなっているものと言うことができる。
【００５９】
先ず、このテーブルシステムは、主共通脚１，１間にビーム３を架設して構造体を構成し、その主共通脚１は奥行き方向に２枚分の天板支持領域１０を有し、その天板支持領域１０は更に巾方向（片側づつ）に２枚の天板４，４を同時に支持可能なものであって、前記主共通脚１の天板支持領域１０の奥行き方向全体に天板４を支持する態様と奥行き方向片半部１０ａにのみ天板４を支持する態様とを通じて第１テーブル領域Ａ（Ａ´）又は第２テーブル領域Ｂ（Ｂ´）を選択的に構成可能であり、これにより巾方向への増連に際し、平面視コ字形又はＬ字形の開放空間Ｓ、Ｓ´を増連方向の所要位置で奥行き方向の所要の片半部１０ａに適宜に形成し得るようにしたことを特徴とする。
【００６０】
この場合、事後的に、巾方向の所要に存する第１テーブル領域Ａ（Ａ´）に対し、奥行き方向に対をなす天板４，４の何れか一方を撤去することによって、当該第１テーブル領域Ａ（Ａ´）を第２テーブル領域Ｂ（Ｂ´）に変更することが可能である。
【００６１】
或いは、事後的に、巾方向の所要位置に存する第２テーブル領域Ｂ（Ｂ´）に対し、奥行き方向片半部１０ａに位置する開放空間Ｓ、Ｓ´を天板４により閉鎖することによって、当該第２テーブル領域Ｂ（Ｂ´）を第１テーブル領域Ａ（Ａ´）に変更することが可能である。
【００６２】
或いは、端部に第１テーブル領域Ａ（Ａ´）が位置する際は、既設の構造体部分の解体を伴うことなく当該第１テーブル領域Ａ（Ａ´）の端部を構成する主共通脚１を利用して第２テーブル領域Ｂ（Ｂ´）の増設が可能である。勿論、主共通脚１を追加して第１テーブル領域Ａ（Ａ´）を構成する天板４の増設ができるのは言うまでもない。
【００６３】
或いは、端部に第２テーブル領域Ｂ（Ｂ´）が位置する際は、少なくとも当該第２テーブル領域Ｂ（Ｂ´）の端部を構成する半巾の端部脚５を主共通脚１に取り替えることによって、第１テーブル領域Ａ（Ａ´）又は第２テーブル領域Ｂ（Ｂ´）の何れの増設も可能である。勿論、半巾の脚（補助脚）を追加して第２テーブル領域Ｂ（Ｂ´）を構成する天板４の増設ができる点も上記と同様である。
【００６４】
或いは、テーブル領域の撤去時に、撤去によって残されるテーブルの端部が第１テーブル領域Ａ（Ａ´）となる場合には、当該残される第１テーブル領域Ａ（Ａ´）の構造体部分を解体せずに所要のテーブル領域の撤去が可能である。
【００６５】
或いは、テーブル領域の撤去時に、撤去によって残されるテーブルの端部が第２テーブル領域Ｂ（Ｂ´）となる場合には、当該残される第２テーブル領域Ｂ（Ｂ´）の端部を支持する主共通脚１を半巾の端部脚に取り替える以上の構造体部分の解体をせずにテーブル領域の撤去が可能である。
【００６６】
そして、図示例のテーブルシステムは、端部に第２テーブル領域Ｂ（Ｂ´）が構成される場合の半巾の端部脚５以外は、全て奥行き方向に２枚分の天板支持領域１０を有する主共通脚４によって構成されるものである。
【００６７】
以上、本発明の一実施形態について説明したが、各部の具体的な構成は、上述した実施形態のみに限定されるものではない。
【００６８】
例えば、図示例において、第１テーブル領域Ａには何れも主共通脚１の天板支持領域１０の片半部１０ａづつにそれぞれ天板４を１枚づつ配置して巾方向片側につき計２枚で構成されていたが、主共通脚１の天板支持領域１０全体に２枚分の天板面積を有する１枚の大型天板を取り付ける態様を妨げるものではない。
【００６９】
また、上記のような基本構造からすれば、図１４に示すように天板４，４同士が奥行き方向に変位して隣接するものにおいて、その隣接境界部分に奥行き方向に２枚分の天板を支持可能な天板支持領域１０を有する主共通脚１を配置して、その片半部１０ｃには一側方（例えば左側）に隣接する天板４を支持するとともに他側方（例えば右側）には開放空間Ｓ´、Ｓを形成し、残り片半部１０ｄにおいては他側方（例えば右側）に天板４を支持するとともに一側方（例えば左側）に隣接する部位には開放空間Ｓ´、Ｓを形成することによって、千鳥状にテーブル領域を配置したり、階段状にテーブル領域を配置するといった斬新な形態なども有効に実現することができる。
【００７０】
すなわち、これを本発明のテーブル領域との関係において既述すれば、主共通脚１の奥行き方向の片半部１０ａには左側又は右側の天板４を支持させ、奥行き方向の残り片半部１０ａには右側又は左側の天板４を支持させることにより、奥行き方向の片半部１０ａには右側又は左側に開放空間Ｓ（Ｓ´）が形成され、奥行き方向の残りの片半部１０ａには左側又は右側に開放空間Ｓ（Ｓ´）が形成され、これにより前記主共通脚１の両側に第２テーブル領域Ｂが形成された状態となるものである。
【００７１】
そして、このような基本構成をベースにして、図１４（ａ）では平面視千鳥状に少なくとも３枚以上の天板４が連なるように第２テーブル領域Ｂが連設され、図１４（ｂ）では平面視階段状に少なくとも３枚以上の天板４が連なるように第２テーブル領域Ｂが連設されるものである。
【００７２】
さらに上記実施形態では、隣接する天板４，４は、天板支持領域１０すなわち主共通脚１の上面の巾方向片側づつにビーム３のブラケット上片３１ａを介して各々の縁部４ｓが支持され、主共通脚１の中心部の上方において両天板４，４の巾方向縁部４ｃ、４ｃが突き合う関係にあったが、例えば図１５に示すように、一方の天板４ｍが主共通脚１の上面全域を覆い、他方の天板４ｎが主共通脚１上に直接掛かっていない構造のものも含まれる。この場合、他方の天板４ｎはブラケット４ｔ等を介して主共通脚１の適宜部位に支持させればよく、この場合にも主共通脚１の天板支持領域において隣接する天板４，４が同時に支持される構造であると言うことができる。
【００７３】
したがって、主共通脚１に対する天板４の具体的な支持構造には、上記実施形態のようにビーム３を介して支持させる態様以外に、主共通脚１の上面や側面にブラケット等を介して支持させる態様、主共通脚１に直接天板４を載せ置く態様なども含まれるものである。
【００７４】
その他の構成も、本発明の趣旨を逸脱しない範囲で種々変形が可能である。また、本発明のテーブルの概念には、いわゆるデスクと称されるものも勿論含まれるものである。
【図面の簡単な説明】
【００７５】
【図１】本発明の一実施形態を適用した大型テーブルの斜視図。
【図２】同テーブルの構造体部分を示す一部省略した透視図。
【図３】同テーブルの主共通脚と天板の位置関係を示す図。
【図４】同実施形態におけるレイアウトパターンを示す図。
【図５】同実施形態において適用可能な大型第１テーブル領域を備えたテーブルを示す図。
【図６】同テーブルの構造体部分を示す一部省略した透視図。
【図７】同実施形態における他のレイアウトパターンを示す図。
【図８】同実施形態における更に他のレイアウトパターンを示す図。
【図９】同実施形態における上記以外のレイアウトパターンを示す図。
【図１０】同実施形態における配線ダクトを示す側断面図。
【図１１】同実施形態においてテーブルトップパネルの適用状態を示す模式図。
【図１２】同実施形態における天板縁部のステー部分を示す図。
【図１３】同実施形態におけるレイアウト変更例を示す図。
【図１４】本発明の他の実施形態におけるレイアウトパターンを示す図。
【図１５】本発明の変形例を示す図。
【符号の説明】
【００７６】
１…主共通脚
３…ビーム
４…天板
４ｂ…反使用縁
４ｓ…縁部
６…膜板
７、７´…配線ダクト
８ａ、８ｂ…テーブルトップパネル
１０…天板支持領域
１０ａ…片半部、残り片半部
１１…脚支柱
１２…架材
Ａ、Ａ´…第１テーブル領域
Ｂ、Ｂ´…第２テーブル領域
Ｓ，Ｓ´…開放空間
δ…所定隙間
δ´…隙間
【図１】
2008279212.tif 000003
【図２】
2008279212.tif 000004
【図３】
2008279212.tif 000005
【図４】
2008279212.tif 000006
【図５】
2008279212.tif 000007
【図６】
2008279212.tif 000008
【図７】
2008279212.tif 000009
【図８】
2008279212.tif 000010
【図９】
2008279212.tif 000011
【図１０】
2008279212.tif 000012
【図１１】
2008279212.tif 000013
【図１２】
2008279212.tif 000014
【図１３】
2008279212.tif 000015
【図１４】
2008279212.tif 000016
【図１５】
2008279212.tif 000017